【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
化学反応により発電可能な燃料電池を有する電池ユニットと前記電池ユニットで発電された電力に基づいて動作可能な電子機器とから構成される電子機器システムにおいて、
前記電池ユニットは前記燃料電池の動作状態情報を出力する出力部を具備し、
前記電子機器は前記出力部から出力された動作状態情報に応じて前記燃料電池の動作情報を通知する通知手段を具備することを特徴とする電子機器システム。
【請求項２】
前記出力部は、前記電池ユニットに着脱可能であり前記燃料電池に供給される燃料を格納する燃料タンクの装着有無を示す情報に基づいて決定される前記動作状態情報を出力する出力部であり、
前記通知手段は、前記燃料タンクの装着有無を示す情報に基いて決定される前記動作状態情報に応じて前記燃料電池の動作状態を通知する通知手段であることを特徴とする請求項１記載の電子機器システム。
【請求項３】
前記出力部は、前記電池ユニットに着脱可能であり前記燃料電池に供給される燃料を格納する燃料タンク内の燃料の残量を示す情報に基づいて決定される前記動作状態情報を出力する出力部であり、
前記通知手段は、前記燃料タンク内の燃料の残量を示す情報に基いて決定される前記動作状態情報に応じて前記燃料電池の動作状態を通知する通知手段であることを特徴とする請求項１記載の電子機器システム。
【請求項４】
前記出力部は、前記燃料電池内の燃料の残量情報に基づいて決定される前記動作状態情報を出力する出力部であり、
前記通知手段は、前記燃料電池内の燃料の残量情報に基づいて決定される前記動作状態情報に応じて前記燃料電池の動作状態を通知する通知手段であることを特徴とする請求項１記載の電子機器システム。
【請求項５】
前記出力部は、前記電池ユニットに着脱可能であり前記燃料電池に供給される燃料を格納する燃料タンクの異常状態を示す情報に基づいて決定される前記動作状態情報を出力する出力部であり、
前記通知手段は、前記燃料タンクの異常状態を示す情報に基づいて決定される前記動作状態情報に応じて前記燃料電池の動作状態を通知する通知手段であることを特徴とする請求項１記載の電子機器システム。
【請求項６】
前記出力部は、前記燃料電池が発電していない状態を示す情報、前記燃料電池は発電しているが定格出力を保証できない状態を示す情報、前記燃料電池が発電しており定格出力を保証できる状態を示す情報または前記燃料電池に異常がある状態を示す情報を含む前記動作状態情報を出力する出力部であり、
前記通知手段は、前記燃料電池が発電していない状態を示す情報、前記燃料電池が発電しているが定格出力を保証できない状態を示す情報、前記燃料電池が発電しており定格出力を保証できる状態を示す情報または前記燃料電池に異常がある状態を示す情報を含む前記動作状態情報に応じて前記燃料電池の動作状態を通知する通知手段であることを特徴とする請求項１記載の電子機器システム。
【請求項７】
前記電池ユニットは前記燃料電池が発生した電力を充電可能な二次電池をさらに具備し、
前記出力部は、前記二次電池の動作状態情報を出力する出力部であり、
前記電子機器は、前記出力部から出力された前記二次電池の動作状態情報に応じて前記二次電池の動作状態を通知する第２の通知手段をさらに具備することを特徴とする請求項１記載の電子機器システム。
【請求項８】
前記出力部は、前記二次電池の残量情報に基づいて決定される前記二次電池の動作状態情報を出力する出力部であり、
前記第２の通知手段は、前記二次電池の残量情報に基づいて決定される前記二次電池の動作状態情報に応じて前記二次電池の動作状態を通知する第２の通知手段であることを特徴とする請求項７記載の電子機器システム。
【請求項９】
前記出力部は、前記二次電池の異常状態情報に基づいて決定される前記二次電池の動作状態情報を出力する出力部であり、
前記第２の通知手段は、前記二次電池の異常状態情報に基づいて決定される前記二次電池の動作状態情報に応じて前記二次電池の動作状態を通知する第２の通知手段であることを特徴とする請求項７記載の電子機器システム。
【請求項１０】
化学反応により発電可能な燃料電池を具備する電池ユニットから供給される電力によって動作可能な電子機器において、
前記電池ユニットから出力された前記燃料電池の動作状態情報を入力する入力部と、
前記入力部に入力された動作状態情報に応じて前記燃料電池の動作状態を通知する通知手段と、
を具備することを特徴とする電子機器。
【請求項１１】
前記入力部は、前記電池ユニットに着脱可能に設けられ前記燃料電池に供給される燃料を格納する燃料タンクの装着有無を示す情報に基づいて決定される前記動作状態情報を入力する入力部であり、
前記通知手段は、前記燃料タンクの装着有無を示す情報に基いて決定される前記動作状態情報に応じて前記燃料電池の動作状態を通知する通知手段であることを特徴とする請求項１０記載の電子機器。
【請求項１２】
前記入力部は、前記電池ユニットに着脱可能に設けられ前記燃料電池に供給される燃料を格納する燃料タンク内の燃料の残量を示す情報に基づいて決定される前記動作状態情報を入力する入力部であり、
前記通知手段は、前記燃料タンク内の燃料の残量を示す情報に基づいて決定される前記動作状態情報に応じて前記燃料電池の動作状態を通知する通知手段であることを特徴とする請求項１０記載の電子機器。
【請求項１３】
前記入力部は、前記燃料電池内の燃料の残量情報に基づいて決定される前記動作状態情報を入力する入力部であり、
前記通知手段は、前記燃料電池内の燃料の残量情報に基づいて決定される前記動作状態情報に応じて前記燃料電池の動作状態を通知する通知手段であることを特徴とする請求項１０記載の電子機器。
【請求項１４】
前記入力部は、前記電池ユニットに着脱可能に設けられ前記燃料電池に供給される燃料を格納する燃料タンクの異常状態を示す情報に基づいて決定される前記動作状態情報を入力する入力部であり、
前記通知手段は、前記燃料タンクの異常状態を示す情報に基づいて決定される前記動作状態情報に応じて前記燃料電池の動作状態を通知する通知手段であることを特徴とする請求項１０記載の電子機器。
【請求項１５】
前記入力部は、前記燃料電池が発電していない状態を示す情報、前記燃料電池は発電しているが定格出力を保証できない状態を示す情報、前記燃料電池が発電しており定格出力を保証できる状態を示す情報または前記燃料電池に異常がある状態を示す情報を含む前記動作状態情報を入力する入力部であり、
前記通知手段は、前記燃料電池が発電していない状態を示す情報、前記燃料電池が発電しているが定格出力を保証できない状態を示す情報、前記燃料電池が発電しており定格出力を保証できる状態を示す情報または前記燃料電池に異常がある状態のいずれの状態を示す情報を含む前記動作状態情報に応じて前記燃料電池の動作状態を通知する通知手段であることを特徴とする請求項１０記載の電子機器。
【請求項１６】
前記入力部は、前記燃料電池が発生した電力を充電可能な二次電池の動作状態情報を入力する入力部であり、
前記入力部に入力された前記二次電池の動作状態情報に応じて前記二次電池の動作状態を通知する第２の通知手段をさらに具備することを特徴とする請求項１０記載の電子機器。
【請求項１７】
前記入力部は、前記二次電池のバッテリ残量情報に基づいて決定される前記二次電池の動作状態情報を入力する入力部であり、
前記第２の通知手段は、前記二次電池のバッテリ残量情報に基づいて決定される前記二次電池の動作状態情報に応じて前記二次電池の動作状態を通知可能な通知手段であることを特徴とする請求項１６記載の電子機器。
【請求項１８】
前記入力部は、前記二次電池の異常状態情報に基づいて決定される前記二次電池の動作状態情報を入力する入力部であり、
前記第２の通知手段は、前記二次電池の異常状態情報に基づいて決定される前記二次電池の動作状態情報に応じて前記二次電池の動作状態を通知可能な通知手段であることを特徴とする請求項１６記載の電子機器。
【請求項１９】
化学反応により発電可能な燃料電池を内蔵する電池ユニットから供給される電力によって動作可能な電子機器に適用可能な動作制御方法であって、
前記電池ユニットから出力された前記燃料電池の動作状態情報を入力する入力ステップと、
前記入力された動作状態情報に応じて前記燃料電池の動作情報を通知する通知ステップと、
を具備することを特徴とする動作制御方法。
【請求項２０】
前記入力ステップは、前記電池ユニットに着脱可能に設けられ前記燃料電池に供給される燃料を格納する燃料タンクの装着有無を示す情報に基づいて決定される前記動作状態情報を入力するステップであり、
前記通知ステップは、前記燃料タンクの装着有無を示す情報に基いて決定される前記動作状態情報に応じて前記燃料電池の動作状態を通知するステップであることを特徴とする請求項１９記載の動作制御方法。
【請求項２１】
前記入力ステップは、前記電池ユニットに着脱可能に設けられ前記燃料電池に供給される燃料を格納する燃料タンク内の燃料の残量を示す情報に基づいて決定される前記動作状態情報を入力するステップであり、
前記通知ステップは、前記燃料タンク内の燃料の残量を示す情報に基づいて決定される前記動作状態情報に応じて前記燃料電池の動作状態を通知するステップであることを特徴とする請求項１９記載の動作制御方法。
【請求項２２】
前記入力ステップは、前記燃料電池内の燃料の残量情報に基づいて決定される前記動作状態情報を入力するステップであり、
前記通知ステップは、前記燃料電池内の燃料の残量情報に基づいて決定される前記動作状態情報に応じて前記燃料電池の動作情報を通知するステップであることを特徴とする請求項１９記載の動作制御方法。
【請求項２３】
前記入力ステップは、前記電池ユニットに着脱可能に設けられ前記燃料電池に供給される燃料を格納する燃料タンクの異常状態を示す情報に基づいて決定される前記動作状態情報を入力するステップであり、
前記通知ステップは、前記燃料タンクの異常状態を示す情報に基づいて決定される前記動作状態情報に応じて前記燃料電池の動作情報を通知するステップであることを特徴とする請求項１９記載の動作制御方法。
【請求項２４】
前記入力ステップは、前記燃料電池が発電していない状態を示す情報、前記燃料電池は発電しているが定格出力を保証できない状態を示す情報、前記燃料電池が発電しており定格出力を保証できる状態を示す情報または前記燃料電池に異常がある状態を示す情報を含む前記動作状態情報を入力するステップであり、
前記通知ステップは、前記燃料電池が発電していない状態を示す情報、前記燃料電池が発電しているが定格出力を保証できない状態を示す情報、前記燃料電池が発電しており定格出力を保証できる状態を示す情報または前記燃料電池に異常がある状態を示す情報を含む前記動作状態情報に応じて前記燃料電池の動作状態を通知するステップであることを特徴とする請求項１９記載の動作制御方法。
【請求項２５】
前記燃料電池が発生した電力を充電可能な二次電池の動作状態情報を入力する入力ステップをさらに具備し、
前記入力された前記二次電池の動作状態情報に応じて前記二次電池の動作状態を通知する通知ステップをさらに具備することを特徴とする請求項１９記載の動作制御方法。
【請求項２６】
前記二次電池の動作状態情報を入力するステップは前記二次電池のバッテリ残量情報に基づいて決定される前記二次電池の動作状態情報を入力するステップであり、
前記前記二次電池の動作状態を通知するステップは、前記二次電池のバッテリ残量情報に基づいて決定される前記二次電池の動作状態情報に応じて前記二次電池の動作状態を通知するステップであることを特徴とする請求項２５記載の動作制御方法。
【請求項２７】
前記二次電池の動作状態情報を入力するステップは前記二次電池の異常状態情報に基づいて決定される前記二次電池の動作状態情報を入力するステップであり、
前記前記二次電池の動作状態を通知するステップは、前記二次電池の異常状態情報に基づいて決定される前記二次電池の動作状態情報に応じて前記二次電池の動作状態を通知するステップであることを特徴とする請求項２５記載の動作制御方法。
【手続補正２】
【補正対象書類名】明細書
【補正対象項目名】発明の名称
【補正方法】変更
【補正の内容】
【発明の名称】電子機器システム、電子機器および動作制御方法
【手続補正３】
【補正対象書類名】明細書
【補正対象項目名】０００８
【補正方法】変更
【補正の内容】
【０００８】
この発明は、このような事情を考慮してなされたものであり、燃料電池や２次電池の状態に基づく動作制御を実行可能な電子機器システム、、電子機器および動作制御方法を提供することを目的とする。
【手続補正４】
【補正対象書類名】明細書
【補正対象項目名】０００９
【補正方法】変更
【補正の内容】
【０００９】
前述した目的を達成するために、この発明の電子機器システムは、化学反応により発電可能な燃料電池を有する電池ユニットと前記電池ユニットで発電された電力に基づいて動作可能な電子機器とから構成される電子機器システムにおいて、前記電池ユニットは前記燃料電池の動作状態情報を出力する出力部を具備し、前記電子機器は前記出力部から出力された動作状態情報に応じて前記燃料電池の動作情報を通知する通知手段を具備することを特徴とする。
また、この発明の電子機器は、化学反応により発電可能な燃料電池を具備する電池ユニットから供給される電力によって動作可能な電子機器において、前記電池ユニットから出力された前記燃料電池の動作状態情報を入力する入力部と、前記入力部に入力された動作状態情報に応じて前記燃料電池の動作状態を通知する通知手段と、を具備することを特徴とする。
【手続補正５】
【補正対象書類名】明細書
【補正対象項目名】００１０
【補正方法】変更
【補正の内容】
【００１０】
また、この発明の動作制御方法は、化学反応により発電可能な燃料電池を内蔵する電池ユニットから供給される電力によって動作可能な電子機器に適用可能な動作制御方法であって、前記電池ユニットから出力された前記燃料電池の動作状態情報を入力する入力ステップと、前記入力された動作状態情報に応じて前記燃料電池の動作情報を通知する通知ステップと、を具備することを特徴とする。
【手続補正６】
【補正対象書類名】明細書
【補正対象項目名】００１１
【補正方法】変更
【補正の内容】
【００１１】
この発明によれば、燃料電池や２次電池の状態に基づく動作制御を実行可能な電子機器システム、電子機器および動作制御方法を提供することができる。